(57)【要約】ホームゲートウェイ装置は、情報処理信号と制御信号を生成するためのメイン基板（１）と、前記メイン基板（１）に接続され、コンピュータバス信号とイーサーネット（登録商標）信号の間で信号変換を行うためのコンピュータバス信号イーサーネット（登録商標）アダプターユニット（２）と、前記コンピュータバス信号イーサーネット（登録商標）アダプターユニット（２）に接続され、予め設定されたフレーム処理ポリシーにより受信されたイーサーネット（登録商標）フレームを転送するためのイーサーネット（登録商標）フレーム処理ユニット（４）と、前記イーサーネット（登録商標）フレーム処理ユニットに接続され、宅内機器を接続するための内部インターフェースユニット（５）と、前記メイン基板（１）とイーサーネット（登録商標）フレーム処理ユニット（４）に接続され、内部ネットワークと外部ネットワークの間でアドレス変換とデータ伝送を行うための外部通信モジュール（３）とを備える。本ホームゲートウェイ装置による集中制御により、家庭用電化製品の高度インテリジェンス化の必要性を低減させ、それにより制御を簡単にし、コストを低減させる。アップリンク及びダウンリンクイーサーネット（登録商標）信号が予め設定されたポリシーにより、ネットワーク用イーサーネット（登録商標）信号と家庭用電化製品用イーサーネット（登録商標）信号を分離し、セキュリティ脅威を回避できる。
2009535946.tif 000002
【特許請求の範囲】
【請求項１】
情報処理信号と制御信号を生成するためのメイン基板と、
前記メイン基板に接続され、コンピュータバス信号とイーサーネット（登録商標）信号の間で信号変換を行うためのコンピュータバス信号イーサーネット（登録商標）アダプターユニットと、
前記コンピュータバス信号イーサーネット（登録商標）アダプターユニットに接続され、予め設定されたフレーム処理ポリシーにより受信されたイーサーネット（登録商標）フレームを転送するためのイーサーネット（登録商標）フレーム処理ユニットと、
前記イーサーネット（登録商標）フレーム処理ユニットに接続され、宅内の電気機器を接続するための内部インターフェースユニットと、
前記メイン基板とイーサーネット（登録商標）フレーム処理ユニットに接続され、内部ネットワークと外部ネットワークの間でアドレス変換とデータ伝送を行うための外部通信モジュールと
を備えたことを特徴とするホームゲートウェイ装置。
【請求項２】
前記内部インターフェースユニットは、
電力線搬送波信号とデータ信号に対して、変復調操作を行うための電力線通信変復調ユニットと、
イーサーネット（登録商標）により、宅内電器機器を接続するためのイーサーネット（登録商標）インターフェースユニットと、
無線方式により、宅内電器機器を接続するための無線LANアクセスポイントユニットと、
の内の何れの一つか、或いは任意の組み合わせで構成されることを特徴とする請求項１記載のホームゲートウェイ装置。
【請求項３】
前記コンピュータバス信号イーサーネット（登録商標）アダプターユニットは、USB信号とイーサーネット（登録商標）信号の間で信号変換を行うためのUSB信号イーサーネット（登録商標）アダプターユニットと、PCI信号とイーサーネット（登録商標）信号の間で信号変換を行うためのPCIバスイーサーネット（登録商標）アダプターユニットのどちらか１つであることを特徴とする請求項１記載のホームゲートウェイ装置。
【請求項４】
前記コンピュータバス信号イーサーネット（登録商標）アダプターユニットはUSB信号イーサーネット（登録商標）アダプターユニットであり、USB信号とイーサーネット（登録商標）信号の間で信号転換を行うことに用いられ、
前記内部インターフェースユニットは電力線通信変復調ユニットであり、電力線搬送波信号とデータ信号に対して変調と復調を行うことに用いられる
ことを特徴とする請求項１記載のホームゲートウェイ装置。
【請求項５】
前記電力線通信変復調ユニットとメイン基板に接続され、USB信号とシリアルロジック信号の間で、信号変換を行うUSB信号ロジック信号アダプターユニットを含めたことを特徴とする請求項４記載のホームゲートウェイ装置。
【請求項６】
前記イーサーネット（登録商標）フレーム処理ユニットに、
前記外部通信モジュールに接続され、前記外部通信モジュールによりイーサーネット（登録商標）信号を伝送するための第１ポートと、
前記USB信号イーサーネット（登録商標）アダプターユニットに接続され、USBによりカプセル化されたイーサーネット（登録商標）信号を伝送するための第２ポートと、
前記電力線通信変復調ユニットに接続され、内部ネットワークに接続する設備と前記メイン基板の間のイーサーネット（登録商標）信号を伝送するための第３ポートと、
が搭載されることを特徴とする請求項４記載のホームゲートウェイ装置。
【請求項７】
前記イーサーネット（登録商標）フレーム処理ユニットと内部インターフェースユニットの間に、前記イーサーネット（登録商標）フレーム処理ユニットと内部インターフェースユニットにそれぞれ接続され、内部ネットワークと外部ネットワークの相互接続を自動設定・自動切換えを行うための通信接続選択設定ユニットを含めたことを特徴とする請求項２、４、５、６のいずれかに記載のホームゲートウェイ装置。
【請求項８】
前記外部通信モジュールは、
PCIバスを介して前記メイン基板に接続され、PCI信号とイーサーネット（登録商標）信号の間で、信号変換を行うためのPCIバスイーサーネット（登録商標）アダプターユニットと、
前記PCIバスイーサーネット（登録商標）アダプターユニットに接続され、予め設定されたポート制御転送ポリシーに従って、受信されたイーサーネット（登録商標）フレームを転送するための外部通信イーサーネット（登録商標）フレーム処理ユニットと、
前記外部通信イーサーネット（登録商標）フレーム処理ユニットに接続され、外部ネットワークと通信するための外部通信アダプターユニットと
を含めて構成されることを特徴とする請求項７記載のホームゲートウェイ装置。
【請求項９】
前記外部通信イーサーネット（登録商標）フレーム処理ユニットは、
前記外部通信アダプターユニットに接続され、前記外部通信アダプターユニットによりイーサーネット（登録商標）信号を伝送するための第４ポートと、
前記PCIバスイーサーネット（登録商標）アダプターユニットに接続され、PCIでカプセル化されたイーサーネット（登録商標）信号を伝送するため第５ポートと、
前記イーサーネット（登録商標）フレーム処理ユニットに接続され、外部ネットワークとパソコンの間のイーサーネット（登録商標）信号を伝送するための第６ポートと、
を具備することを特徴とする請求項８に記載のホームゲートウェイ装置。
【発明の詳細な説明】
【技術分野】
【０００１】
本発明はホームゲートウェイ装置に関わる。特に外部と内部の接続信号を区別することにより、インターネットアクセス通路と情報家電の制御通路を隔離するホームゲートウェイ装置に関する。
【背景技術】
【０００２】
情報時代の到来とネットワーク技術の進化に伴い、インテリジェントホームネットワークの構築が本格的になる。宅内機器相互間をネットワークで結ぶことにより、多様性、快適性、安全性に富んだサービスを提供できるホームネットワークがより多くの当業者の研究対象となった。宅内外の情報交換は重要な課題の１つとなり、外出先から宅内の家電機器を便利に管理できる仕組みの中に、ホームゲートウェイ装置が期待されている。
【０００３】
ホームゲートウェイ装置は宅内外のネットワークを繋げる物理的なインターフェースであり、また、ユーザに多彩なライフ系サービス（現在のサービスと未来可能なサービスを含む）を提供できるプラットフォームである。ホームゲートウェイによれば、宅外の通信信号を受信してホームネットワークを経由して宅内の電器に送信できる。ホームゲートウェイ装置は、ハイスピードインターネットアクセスへの応用のみならず、家庭ブロードバンド化の推進に伴い、音声と映像を統合したテレビ電話やオンラインゲーム等の娯楽サービスの提供にも期待されている。ホームゲートウェイ装置はダイナミックルーティングアルゴリズムを実行することにより、異なる情報フロー（データ）を電話機やインテリジェント家電、デジタルテレビ、セットコンポ等の宅内機器に伝達できる。例えば、ハイレベルのホームゲートウェイ装置によれば、発信者ID情報を利用して外線電話を宅内の特定な電話機に配信させ、子供様への電話を子供の部屋だけに配信、或いは、夜１０時以後の外線電話（緊急電話を除く）をベッドルームより離れる所にある電話機だけに配信させることを可能にする。
【発明の開示】
【発明が解決しようとする課題】
【０００４】
従来のホームゲートウェイ技術は既にインターネット接続と家電機器制御を実現した。ただし、次の欠陥も残っている。外部の通信ネットワークを通じで宅外から宅内の家電機器を制御する時に、特定の家電機器に対する直接制御を採用している。対象機器の数が多くなるにつれて、ゲートウェイ側の操作は煩雑になる。また、パソコン関連のインターネット通信信号と家電機器関連の制御信号がホームゲートウェイ装置を経由する時、有効に隔離されないため、不正ユーザがインターネットにより宅内の家電機器を悪用したり、ホームネットワークの利用者に心身及び財産に被害を与える可能性がある。更にまた、現存のホームゲートウェイは、パソコンのインターネット通信信号と家電機器制御信号とを有効に区別しないため、インターネット通信中断や制御情報障害をもたらす可能性もある。
【０００５】
本発明の目的は、このような問題を解決するため、宅内機器を容易に制御させ、外部からの不正アクセスと制御を防止し、インターネット通信信号と家電制御信号を確実に区別し、インターネット通信中断や家電制御信号障害の発生を回避できるゲートウェイ装置を提供することにある。
【課題を解決するための手段】
【０００６】
本発明にかかるホームゲートウェイ装置は、情報処理及び制御の信号を生成するメイン基板と、前記メイン基板に接続され、コンピュータのバス信号とイーサーネット（登録商標）信号の間で信号変換を行うためのコンピュータバス信号イーサーネット（登録商標）アダプターユニットと、前記コンピュータバス信号イーサーネット（登録商標）アダプターユニットに接続され、予め設定されたフレーム処理ポリシーにより、受信されたイーサーネット（登録商標）フレームを転送するためのイーサーネット（登録商標）フレーム処理ユニットと、前記イーサーネット（登録商標）フレーム処理ユニットに接続され、宅内機器をネットワークに接続するための内部インターフェースユニットと、前記メイン基板と前記イーサーネット（登録商標）フレーム処理ユニットに接続され、宅内外のネットワーク間のアドレス変換とデータ伝送等を行うための外部通信モジュールと、を備えたことを特徴とする。
【０００７】
前記技術案で
前記内部インターフェースユニットは、電力線通信変復調ユニットと、イーサーネット（登録商標）インターフェースユニットと、無線LANクアクセスポイントの中の一つ或いは任意の組み合わせであり、前記電力線通信変復調ユニットは、電力搬送波信号とデータ信号に対して変調と復調を行うことに用いられ、前記イーサーネット（登録商標）インターフェースユニットはイーサーネット（登録商標）により、ネットワーク二接続する宅内機器を接続することに用いられ、前記無線LANアクセスポイントは無線方式により宅内機器を接続する。
【０００８】
前記コンピュータバス信号イーサーネット（登録商標）アダプターユニットは、USB信号イーサーネット（登録商標）アダプターユニット或いはPCIバスイーサーネット（登録商標）アダプターユニットのどちらか１つで、前記USB信号イーサーネット（登録商標）アダプターユニットはUSB信号とイーサーネット（登録商標）信号の間で信号転換を行うことに用いられ、前記PCIバスイーサーネット（登録商標）アダプターユニットはPCI信号とイーサーネット（登録商標）信号の間で信号変換を行うことに用いられる。
また前記電力線通信変復調ユニットとメイン基板に接続され、USB信号とシリアルロジック信号の間で、信号変換を行うUSB信号ロジック信号アダプターユニットも含められる。
【０００９】
本ホームゲートウェイ装置において、前記イーサーネット（登録商標）フレーム処理ユニットには、
前記外部通信モジュールに接続され、前記外部通信モジュールによりイーサーネット（登録商標）信号を伝送するための第１ポートと、
前記USB信号イーサーネット（登録商標）アダプターユニットに接続され、USBによりカプセル化されたイーサーネット（登録商標）信号を伝送するための第２ポートと、
前記電力線通信変復調ユニットに接続され、内部ネットワークに接続する設備と前記メイン基板の間のイーサーネット（登録商標）信号を伝送するための第３ポート、
が搭載される。
【００１０】
前記イーサーネット（登録商標）フレーム処理ユニットでは予め設置したポリシーにより受信されたイーサーネット（登録商標）フレームに対して、次のフレーム処理ポリシーが実行される。
（１）第１ポートに受信されたイーサーネット（登録商標）フレームは、第２ポートではなく、第３ポートのみに転送する。
（２）第２ポートに受信されたイーサーネット（登録商標）フレームは、第１ポートではなく、第３ポートのみに転送する。
（３）第３ポートに受信されたイーサーネット（登録商標）フレームに対して、イーサーネット（登録商標）フレーム処理ユニットは、まず当該イーサーネット（登録商標）フレームでカプセルされたデータのデータフォーマット（カプセルフォーマットと略称する）を読取る。USBバスフレームのカプセルフォーマットであれば、当該イーサーネット（登録商標）フレームを第２ポートのみに転送する。IPパケットのカプセルフォーマットであれば、当該イーサーネット（登録商標）フレームを第１ポートのみに転送する。
【００１１】
本ホームゲートウェイ装置において、前記外部通信モジュールは、
PCIバスを経て前記メイン基板に接続され、PCI信号とイーサーネット（登録商標）信号の間で、信号変換を行うためのPCIバスイーサーネット（登録商標）アダプターユニットと、
前記PCIバスイーサーネット（登録商標）アダプターユニットに接続され、予め設定されたポート制御転送ポリシーに従って、受信されたイーサーネット（登録商標）フレームを転送するための外部通信イーサーネット（登録商標）フレーム処理ユニットと、
前記外部通信イーサーネット（登録商標）フレーム処理ユニットに接続され、外部通信ネットワークと通信するための外部通信アダプターユニット
を含む。
【００１２】
前記外部通信イーサーネット（登録商標）フレーム処理ユニットは、
前記外部通信アダプターユニットに接続され、前記外部通信アダプターユニットによりイーサーネット（登録商標）信号を伝送するための第４ポートと、
前記PCIバスイーサーネット（登録商標）アダプターユニットに接続され、PCIでカプセル化されたイーサーネット（登録商標）信号を伝送するための第５ポートと、
前記イーサーネット（登録商標）フレーム処理ユニットに接続され、外部通信ネットワークとパソコンの間のイーサーネット（登録商標）信号を伝送するための第６ポートと、
を具備する。
【００１３】
外部ネットワークがホームネットワークと通信する前に、ネットワークアドレス変換（NAT，Network Address Translation）が行われる必要がある。即ち、外部通信アダプターユニットにより、アドレス変換操作を実行する。具体的は、外部ネットワーク用IPアドレスと外部ネットワーク用ポートが内部ネットワークのローカルIPアドレスとローカルポートに対応するテーブルを作成する。これにより、外部ネットワークにおける設備は、外部ネットワーク用ポートにより内部ネットワークにおける特定な設備を識別できるようになり、外部ネットワーク用IPアドレスと内部ネットワーク用IPアドレス間のアドレス変換を完成できる。
【００１４】
外部ネットワークからのパケットが外部通信アダプターユニットを経由する時に、前記外部通信アダプターユニットは当該パケットの伝送層ポート情報を解析でき、前記テーブルを参照することにより、前記パケットに含まれた送信先IPアドレスを宅内機器（家電機器やインターネット通信を行っているパソコン等）のローカルIPアドレスに変換する。同時に外部ネットワーク用ポート番号を内部ネットワーク用ローカルポート番号に変換することもできる。
【００１５】
内部ネットワークからのパケットは外部通信アダプターユニットを経由する時に、外部通信アダプターユニットは前記テーブルを参照して、内部ネットワーク用ローカルIPアドレスとローカルポート番号を外部ネットワーク用のIPアドレスとポート番号に変換する。
【００１６】
NATアドレス変換以外に、MACアドレスの変換もしなければならない。
外部通信アダプターユニットは、第４ポートを介して受信されたパケットの情報を解析して、パケットに含まれた送信元MACアドレスと送信元IPアドレスを取得でき、両者の対応関係の情報をIP/MAC対応テーブルに保存しておく。
外部ネットワークから受信されたパケットに対して、外部通信アダプターユニットはまず前記NAT変換により、内部ネットワークの関連設備のローカルIPアドレスを見つける。その次は、IP/MAC対応テーブルを参照して、パケットの送信先MACアドレスを内部ネットワークの関連機器のMACアドレスに変換する。同様に、内部ネットワークから受信されたパケットに対して、外部通信アダプターユニットは当該パケットに含まれた送信元MACアドレスを外部通信アダプターユニットのMACアドレスに変換する。
【００１７】
前記NATアドレス変換とMACアドレス変換により、外部通信アダプターユニットは内部ネットワークと外部ネットワークの間のパケット転送を正しく実行できるようになる。
【００１８】
外部通信イーサーネット（登録商標）フレーム処理ユニットは次のようなポリシーに従ってフレーム処理を行う。
第６ポートを介して外部通信イーサーネット（登録商標）フレーム処理ユニットに受信されたフレームに対して、何も変更せずに、そのまま第４ポートに転送する。
第５ポートを介して外部通信イーサーネット（登録商標）フレーム処理ユニットに受信されたフレームに対して、何も変更せずに、そのまま第４ポートに転送する。
第４ポートを介して外部通信イーサーネット（登録商標）フレーム処理ユニットに受信されたフレームに対して、外部通信イーサーネット（登録商標）フレーム処理ユニットは次のように判断する。１、フレームの送信先がパソコンのMACアドレスである場合、そのまま第６ポートに転送する。２、送信先がメイン基板のMACアドレスである場合、そのまま第５ポートに転送する。
【００１９】
ホームゲートウェイ装置に接続され、インターネット通信を行っているパソコンが複数である場合、外部通信イーサーネット（登録商標）フレーム処理ユニットは、次のポリシーに従ってフレーム処理を行う。
第４ポートを介して外部通信イーサーネット（登録商標）フレーム処理ユニットに受信されたフレームに対して、送信先がパソコンのMACアドレスである限り、全て第６ポートに転送し、通信接続選択アダプターユニットに送信する。
【００２０】
前記技術案によると、本発明は以下のメリットを有する。
1、本発明のホームゲートウェイ装置の集中制御によれば、家電機器に対する統合管理が実現したので、情報家電に対する高度なインテリジェント化要求を低減でき、制御の簡易性と設定作業の利便性が図られる。
【００２１】
2、本発明によれば、予め設定されたフレーム処理ポリシーとポート制御転送ポリシーにより、アップリンクとダウンリンクに伝送されているイーサーネット（登録商標）信号を制御し、インターネット通信関連のイーサーネット（登録商標）信号と情報家電制御関連のイーサーネット（登録商標）信号を確実に分離して、外部からのセキュリティ脅威を回避できるようになる。
以下に添付図面と実施例を通じて、本発明の技術案の詳細な説明を行う。
【発明を実施するための最良の形態】
【００２２】
図面を参照しながら本発明の実施例を詳細に説明する。本発明にかかるホームゲートウェイ装置は、予め設定されたフレーム処理ポリシーとポート制御転送ポリシーにより、アップリンクとダウンリンクに伝送されているイーサーネット（登録商標）信号を制御してインターネット通信用イーサーネット（登録商標）信号と情報家電制御関連のイーサーネット（登録商標）信号を分離できるようにするので、内部ネットワークにある情報家電からの操作信号を順調にメイン基板に、インターネット通信信号を直接に外部通信ネットワークに送信し、２種類の信号を相互に影響させない。
【００２３】
本発明にかかるホームゲートウェイ装置は、情報処理及び制御信号を生成するためのメイン基板と、前記メイン基板に接続され、コンピュータバス信号とイーサーネット（登録商標）信号の間で信号変換を行うためのコンピュータバス信号イーサーネット（登録商標）アダプターユニットと、前記コンピュータバス信号イーサーネット（登録商標）アダプターユニットに接続され、予め設定されたポリシーにより、受信されたイーサーネット（登録商標）フレームを転送するためのイーサーネット（登録商標）フレーム処理ユニットと、前記イーサーネット（登録商標）フレーム処理ユニットに接続され、宅内家電機器を接続するための内部インターフェースユニットと、前記メイン基板とイーサーネット（登録商標）フレーム処理ユニットに接続され、宅内外のネットワークの間で、アドレス変換とデータ伝送を行う外部通信モジュールとを含めて構成される。
【００２４】
ホームゲートウェイ装置のコンピュータバス信号イーサーネット（登録商標）アダプターユニットにおいて、ペリフェラルコンポーネントインターフェース（PCI , Peripheral Component Interface）バス・IDE（Integrated Drive Electronics）バス、ユニバーサル・シリアル（USB, Universal Serial Bus)バス等、各種なコンピュータバスを採用して、イーサーネット（登録商標）に接続できる。USBバスはプラグアンドプレイや、高伝送率、省資源、百以上のポートに接続できる等の特性を具備するため、既に汎用なコンピュータバスになった。本発明の実施例におけるコンピュータバスはUSBバスを例として記述する。
【実施例１】
【００２５】
図１は実施例１におけるホームゲートウェイ装置の構成ブロック図である。図１に示したように、メイン基板１とUSB信号イーサーネット（登録商標）アダプターユニット２と外部通信モジュール３とイーサーネット（登録商標）フレーム処理ユニット４と電力線通信方式（PLC，Power Line Communication）変復調ユニット５から構成される。その中で、メイン基板１は、情報処理信号と制御信号を生成するUSBインターフェースが搭載されていて、USBバスを利用して本装置の他のモジュールと接続する。USB信号イーサーネット（登録商標）アダプターユニット２はメイン基板１のUSBインターフェースに接続され、USB信号とイーサーネット（登録商標）信号の間で信号変換を行う。ホームゲートウェイ装置をメインコンピュータに例えると、それ以外の全ての情報家電は、そのメインコンピュータのUSBバスによる外部設備とされる。ここの「メインコンピュータ」及び次の各実施例に記述される「メインコンピュータ」はすべて本発明にかかるホームゲートウェイ装置のことを指す。上記のような宅内機器と本発明のメイン基板の間の通信を、最終的にUSB通信に変換させる仕組みは、宅内機器間の相互接続を提供する上、統合管理の簡易化と宅内外ネットワークの隔離等の効果も図った。
【００２６】
外部通信モジュール３は、イーサーネット（登録商標）フレーム処理ユニット４とメイン基板１に接続され、宅内外ネットワークの間のアドレス変換とデータ伝送に用いられる。外部通信モジュール３はカード挿入式の設計を採用できる。外部通信モジュールとメイン基板の間はコンピュータバス（PCI/PCI-E/USB規格）により接続される。本発明のホームゲートウェイ装置は外部ネットワークと通信する時に、IPプロトコルを利用する。物理層の接続方式は多種多様で、ハイスピード・ダウンリンク・パケット・アクセス（HSDPAと略称、High Speed Downlink Packet Accessのこと）とワイマックス（WiMAXと略称、Worldwide Interoperability for Microwave Accessのこと）のような無線方式、カテゴリー５方式、光ファイバー方式、テレビ用同軸ケーブル方式、デジタル加入者線（DSL，Digital Subscriber Line）方式、電力線通信に基づくPLC方式等が利用できる。外部通信モジュールはカード挿入式の設計を採用しているが、目的はホームゲートウェイ装置のモジュール化レベルの向上、システムの保守性と拡張性を図ることにある。ホームネットワークと外部ネットワークの間で物理層の接続を構築する時、或いは変更を発生する時に、ホームゲートウェイ装置における対応する通信カードを簡単に挿し抜きすれば、ハードウェア面の設定要求を満足できる。本実施例におけるホームゲートウェイ装置の内部インターフェースユニットには、PLC変復調ユニット５しか含めない。当該PLC変復調ユニット５は、イーサーネット（登録商標）フレーム処理ユニット４に接続され、電力線から伝送されてきた電力搬送波信号からイーサーネット（登録商標）信号に復調し、イーサーネット（登録商標）フレーム処理ユニット４に送信したり、イーサーネット（登録商標）フレーム処理ユニット４から伝送されてきたイーサーネット（登録商標）信号を電力搬送波信号に変調して、電力線に送信することに用いられる。普通の家庭は隅々まで電力線が配線されているので、電力線によるデータ伝送は、コンセントに繋ぐだけで容易に実現できる技術で、利便性が極めて高い。PLC変復調ユニットは、イーサーネット（登録商標）信号を電力搬送波信号に変調したり、および電力搬送波信号をイーサーネット（登録商標）信号に復調することができ、即ちイーサーネット（登録商標）信号と電力搬送波信号の間に変復調操作を実現した。
【００２７】
イーサーネット（登録商標）フレーム処理ユニット４はUSB信号イーサーネット（登録商標）アダプターユニット２と外部通信モジュール３とPLC変復調ユニット５とそれぞれ接続されており、予め設定されたポリシーにより、受信されたイーサーネット（登録商標）フレームを転送できる。図２は前記イーサーネット（登録商標）フレーム処理ユニット４に設けられたポートのロジック図である。外部通信モジュール３に接続され、外部通信モジュール３を経由して外部ネットワークにイーサーネット（登録商標）信号を伝送するための第１ポート４aと、USB信号イーサーネット（登録商標）アダプターユニット２に接続され、USBでカプセル化されたイーサーネット（登録商標）信号を伝送するための第２ポート４bと、PLC変復調ユニット５に接続され、宅内機器とメイン基板の間で、イーサーネット（登録商標）信号を伝送するための第３ポート４cという３つのポートが具備されている。
【００２８】
本実施例において、メインコンピュータと通信する全ての情報家電は、USBバスフレームだけを自分のイーサーネット（登録商標）フレームにカプセルする。又、IPプロトコルには対応しないため、イーサーネット（登録商標）フレームを送信する時には、メインコンピュータのメイン基板に送信することしかできず、外部ネットワークには送信できない。
【００２９】
外部ネットワークと通信できる全てのコンピュータ（PCとノートパソコンを含む）はIPパケットだけを自分のイーサーネット（登録商標）フレームにカプセルする。イーサーネット（登録商標）フレームを送信する時には、メインコンピュータの外部通信モジュールに送信することしかできず、メイン基板には送信できない。
【００３０】
宅内機器の相互通信のセキュリティを強化するため、本発明にかかるゲートウェイ装置に、次のイーサーネット（登録商標）フレーム処理ポリシーを設定しておく。
【００３１】
（１）情報家電機器から送信されるイーサーネット（登録商標）フレームには、唯一の送信先アドレスしか含まれない。即ち、イーサーネット（登録商標）フレーム処理ユニット４の第２ポート４bに接続されているUSB信号イーサーネット（登録商標）アダプターユニット２のメディアアクセス制御（Media Access Controlのことで、MACと略称）アドレスである。USB信号イーサーネット（登録商標）アダプターユニット２はUSBバスを経由してメイン基板１に接続される。
（２）同様に、情報家電機器に受信されるイーサーネット（登録商標）フレームには、唯一の送信元アドレスしか含まれない。即ち、イーサーネット（登録商標）フレーム処理ユニット４の第２ポート４bに接続されているUSB信号イーサーネット（登録商標）アダプターユニット２のMACアドレスである。家電機器はUSB信号イーサーネット（登録商標）アダプターユニット２のMACアドレスでない送信元イーサーネット（登録商標）フレームMACアドレスを識別すると、そのアドレスが自分のことを指していても、当該イーサーネット（登録商標）フレームを放棄することになる。
【００３２】
具体的には、イーサーネット（登録商標）フレーム処理ユニット４では、次のフレーム処理ポリシーが実行される。
【００３３】
（１）第１ポート４aに受信されたイーサーネット（登録商標）フレームは、第２ポート４bではなく、第３ポート４cのみに転送する。
（２）第２ポート４bに受信されたイーサーネット（登録商標）フレームは、第１ポート４aではなく、第３ポート４cのみに転送する。
（３）第３ポート４cに受信されたイーサーネット（登録商標）フレームに対して、イーサーネット（登録商標）フレーム処理ユニット４は、まず当該イーサーネット（登録商標）フレームでカプセルされたデータのデータフォーマット（カプセルフォーマットと略称する）を読取る。USBバスフレームのカプセルフォーマットであれば、当該イーサーネット（登録商標）フレームを第２ポート４bのみに転送する。IPパケットのカプセルフォーマットであれば、当該イーサーネット（登録商標）フレームを第１ポート４aのみに転送する。
【００３４】
前記イーサーネット（登録商標）フレーム処理ユニット４のフレーム処理ポリシーにより、宅内外情報の相互隔離が実現できるようになる。
【００３５】
外部通信モジュール３は、コンピュータバスによりメイン基板に接続される。図３は実施例１におけるホームゲートウェイ装置の外部通信モジュール３のブロック図である。外部通信モジュール３は、PCIバスを介して前記メイン基板に接続され、PCI信号とイーサーネット（登録商標）信号の間で信号変換を行うためのPCIバスイーサーネット（登録商標）アダプターユニット３３と、前記PCIバスイーサーネット（登録商標）アダプターユニットに接続され、予め設定されたポート制御転送ポリシーに従って、受信したイーサーネット（登録商標）フレームを転送するための外部通信イーサーネット（登録商標）フレーム処理ユニット３２と、前記外部通信イーサーネット（登録商標）フレーム処理ユニットに接続され、外部ネットワークと通信するための外部通信アダプターユニット３１から構成される。
【００３６】
前記外部通信イーサーネット（登録商標）フレーム処理ユニット３２には、外部通信アダプターユニット３１に接続され、前記外部通信アダプターユニットを介してイーサーネット（登録商標）信号を伝送するための第４ポート３aと、PCIバスイーサーネット（登録商標）アダプターユニットに接続され、PCIでカプセル化されたイーサーネット（登録商標）信号を伝送するための第５ポート３bと、イーサーネット（登録商標）フレーム処理ユニットに接続され、外部ネットワークとパソコンの間のイーサーネット（登録商標）信号を伝送するための第６ポート３cと、が搭載されている。
【００３７】
外部ネットワークがホームネットワークと通信する前に、ネットワークアドレス変換（NAT，Network Address Translation）が行われる必要がある。即ち、外部通信アダプターユニットにより、アドレス変換操作を実行する。具体的には、外部ネットワーク用IPアドレスと外部ネットワーク用ポートが内部ネットワークのローカルIPアドレスとローカルポートに対応するテーブルを作成する。特に説明したいのは、そのテーブルは、外部通信アダプターユニットに設定されても、独立したモジュールに設定されても良い。そうすると、外部ネットワークにおける設備は、外部ネットワーク用ポートにより内部ネットワークにおける特定の設備を識別できるようになり、外部ネットワーク用IPアドレスと内部ネットワーク用IPアドレス間のアドレス変換を完成できる。
【００３８】
外部網からのパケットが外部通信アダプターユニットを経由する時に、前記外部通信アダプターユニットは当該パケットの伝送層ポート情報を解析でき、前記テーブルを参照することにより、前記パケットに含まれた送信先IPアドレスを宅内機器（家電機器やインターネット通信を行っているパソコン等）のローカルIPアドレスに変換する。同時に外部ネットワーク用ポート番号を内部ネットワーク用ローカルポート番号に変換することもできる。
【００３９】
内部ネットワークからのパケットが外部通信アダプターユニットを経由する時に、外部通信アダプターユニットは前記テーブルを参照して、内部ネットワーク用ローカルIPアドレスとローカルポート番号を外部ネットワーク用のIPアドレスとポート番号に変換する。
【００４０】
NATアドレス変換以外に、MACアドレスの変換もしなければならない。
【００４１】
外部通信アダプターユニットは、第４ポート３aを介して受信されたパケットの情報を解析して、パケットに含まれた送信元MACアドレスと送信元IPアドレスを取得でき、両者の対応関係の情報をIP/MAC対応テーブルに保存しておく。
【００４２】
外部ネットワークから受信されたパケットに対して、外部通信アダプターユニットはまず前記NAT変換により、内部ネットワークの関連設備のローカルIPアドレスを見つける。その次に、IP/MAC対応テーブルを参照して、パケットの送信先MACアドレスを内部ネットワークの関連機器のMACアドレスに変換する。同様に、内部ネットワークから受信されたパケットに対して、外部通信アダプターユニットは当該パケットに含まれた送信元MACアドレスを外部通信アダプターユニットのMACアドレスに変換する。
【００４３】
前記NATアドレス変換とMACアドレス変換により、外部通信アダプターユニットは内部ネットワークと外部ネットワークの間のパケット転送を正しく実行できるようになる。
【００４４】
実際の動作において、本発明のホームゲートウェイ装置には電源を入れる前に、前記外部通信イーサーネット（登録商標）フレーム処理ユニットに、空白のMACアドレス/ポート対応テーブルが保存されている。外部通信イーサーネット（登録商標）フレーム処理ユニットは各ポートを介して受信されたフレームの送信元MACアドレスを自動取得することにより、それを記録して、関連するポートに対応させる。
【００４５】
例えば、IPアドレスの割当方式により、本発明にかかるメイン基板はIPアドレスの自動取得と手動設定に対応できる。前記外部通信イーサーネット（登録商標）処理ユニットに搭載されている第５ポート３bはメイン基板のMACアドレスを自動取得できる。すると、外部通信イーサーネット（登録商標）フレーム処理ユニットはメイン基板のMACアドレスを記録し、当該MACアドレスと第５ポート３bの間の対応関係を対応テーブルに記入する。
【００４６】
インターネット通信を行っているパソコンから送信されたパケットが第６ポート３cを介して受信された時、外部通信イーサーネット（登録商標）フレーム処理ユニットは当該パソコンのMACアドレスと第６ポート３cの対応関係を記録し、対応テーブルに記入する。インターネット通信を行っているパソコンが複数ある場合、第６ポート３cは各パソコンのMACアドレスを記録し、複数のMACアドレスと第６ポート３cの対応関係を対応テーブルに記入する。
【００４７】
外部ネットワークからのパケットが「外部通信アダプターユニット」を経由して外部通信イーサーネット（登録商標）フレーム処理ユニットに受信された時、外部通信イーサーネット（登録商標）フレーム処理ユニットは当該パケットの送信元MACアドレスと第４ポート３aの対応関係を記録し、対応テーブルに記入する。
【００４８】
前記アドレス取得のプロセスにより、外部通信イーサーネット（登録商標）フレーム処理ユニットは次のような対応テーブルを作成する。
【００４９】
送信元MACアドレス                                ポート番号
メイン基板モジュールのMACアドレス                  ３b
外部通信アダプターユニットのMACアドレス            ３a
インターネット通信を行うパソコン１のMACアドレス    ３c
インターネット通信を行うパソコンk のMACアドレス    ３c
【００５０】
外部通信イーサーネット（登録商標）フレーム処理ユニット３２は次のようなポリシーに従ってフレーム処理を行う。
【００５１】
第６ポート３cを介して外部通信イーサーネット（登録商標）フレーム処理ユニットに受信されたフレームに対して、何も変更せずに、そのまま第４ポート３aに転送する。
第５ポート３bを介して外部通信イーサーネット（登録商標）フレーム処理ユニットに受信されたフレームに対して、何も変更せずに、そのまま第４ポート３aに転送する。
第４ポート３aを介して外部通信イーサーネット（登録商標）フレーム処理ユニットに受信されたフレームに対して、外部通信イーサーネット（登録商標）フレーム処理ユニットは次のように判断する。１、フレームの送信先がパソコンのMACアドレスである場合、そのまま第６ポート３cに転送する。２、送信先がメイン基板のMACアドレスである場合、そのまま第５ポート３bに転送する。
【００５２】
ホームゲートウェイ装置に接続され、インターネット通信を行っているパソコンが複数である場合、外部通信イーサーネット（登録商標）フレーム処理ユニットは、次のポリシーに従ってフレーム処理を行う。
【００５３】
第４ポート３aを介して外部通信イーサーネット（登録商標）フレーム処理ユニットに受信されたフレームに対して、送信先がパソコンのMACアドレスである限り、全て第６ポート３cに転送し、通信接続選択設定ユニットに送信する。
【００５４】
通信接続選択設定ユニットは、ホームゲートウェイ装置を介して、インターネット通信をしているパソコンの現時点での接続方式、例えば、カテゴリー５方式、或いは無線LAN（WLAN，Wireless Local Area Network）方式等を認識しなければならない。そのため、第６ポート３cに受信されたフレームに対して、前記通信接続選択設定ユニットはパソコンの現時点に接続されているインターフェースユニット（例えば、イーサーネット（登録商標）インターフェースユニット、或いはWLANアクセスポイント（AP，Access Point））に正確に転送できるべきである。
【００５５】
本実施例におけるホームゲートウェイ装置は、外部ネットワークが宅内機器を訪問する時の橋渡しとしての役割を果たしている。宅内機器に相互接続と統合管理を提供し、メインコンピュータの機能をしている。相対的に、全ての情報家電機器は、当該メインコンピュータのUSBバスによる外部設備とされている。
【実施例２】
【００５６】
図４は本発明の実施例２におけるホームゲートウェイ装置のブロック図である。実施例１と違い、内部インターフェースユニットは、PLC変復調ユニット５とイーサーネット（登録商標）インターフェースユニット６とWLAN AP７と光ファイバー接続ユニット８を含めて構成される。イーサーネット（登録商標）フレーム処理ユニット４と内部インターフェースユニットの間に、通信接続選択設定ユニットが設置されている。通信接続選択設定ユニットは、イーサーネット（登録商標）フレーム処理ユニット４とPLC変復調ユニット５とイーサーネット（登録商標）インターフェースユニット６とWLAN AP７と光ファイバー接続ユニット８に接続される。前記イーサーネット（登録商標）インターフェースユニットは、イーサーネット（登録商標）を介する内部ネットワークにある電器設備との接続に用いられる。前記無線LANクアクセスポイントWLAN AP７は、無線方式による内部ネットワークにある電器設備との通信に用いられる。前記光ファイバー接続ユニットは、光電変換により光ファイバー信号をネットワーク通信に利用できる電子信号への変換に用いられる。通信接続選択設定ユニットは通信接続の自動設定と切替に用いられるもので、PLC変復調ユニット５、イーサーネット（登録商標）インターフェースユニット６、WLAN AP７、光ファイバー接続ユニット８がイーサーネット（登録商標）フレーム処理ユニット４との間のデータ通信を調整する。
【００５７】
内部ネットワークの接続方式が多種多様である場合、例えば、イーサーネット（登録商標）インターフェースと無線LANインターフェースを同時に備えた家電設備に対して、本発明のホームゲートウェイ装置は、PLC変復調ユニット５とイーサーネット（登録商標）インターフェースユニット６を含めた内部インターフェースユニットを採用できる。その中で、イーサーネット（登録商標）インターフェースユニット６によれば、イーサーネット（登録商標）方式で宅内機器を接続できる。前記通信接続選択設定ユニットによれば、予め設定された優先度パラメータにより、PLC接続方式とイーサーネット（登録商標）接続方式のうちのどちらかを選択できる。前記例の場合、また、イーサーネット（登録商標）インターフェース６とWLAN AP７を含めた内部インターフェースユニットを採用することもできる。そうすると、通信接続選択設定ユニットは、その２種類の接続方式のうちのどちらかを選択できる。その中のWLAN AP７によれば、無線方式で宅内機器と接続できる。宅内設備が光ファイバー接続にも対応している場合、内部インターフェースユニットに光ファイバー接続ユニット８を追加して、それを通信接続選択設定ユニットの選択肢にすることもできる。
【００５８】
本発明にかかるホームゲートウェイ装置と内部ネットワークにある各種の情報家電から構成されたシステムは、家電機器間に多種のネットワーク接続方式を提供しており、イーサーネット（登録商標）、PLC電力搬送波通信、無線方式、光ファイバー接続方式に対応できる。また、宅内機器の実際状況により宅内機器と外部ネットワークの接続方式を自動的に構築、調整できる。例えば、ノートブックパソコンという設備は、通常、電力線方式でデータを伝送できる。バッテリ給電の方式に換えられると、電力線によるデータ伝送はできなくなる。その場合、無線LANアクセスポイントによる接続に置き換えられ、普通のイーサーネット（登録商標）ケーブルにより、イーサーネット（登録商標）インターフェースユニットに接続することもできる。
【００５９】
通信接続選択設定ユニットは宅内機器の利用可能な接続方式を識別でき、且つ優先度により接続方式を設定できる。接続方式が変換される時（挿し抜き操作や給電中断など）、ホームゲートウェイ装置は自動的に他の接続方式に切換え、設定作業を完成できる。また前記ノートブックパソコンを例とすると、給電中断が発生すると、ホームゲートウェイ装置は自動的にWLAN AP７の接続方式に切り替えられる。また、接続の優先順位の逆転設定も実現できる。即ち、低優先度の接続方式を強制的に採用させる機能である。
【００６０】
優先度パラメータは通常、予め設定されたもので、出荷時に設定されても、ユーザ自分で設定されても良い。家庭内の配線状況により、接続方式の優先度を確定できる。優先度の設定情報は選択設定ファイルに格納され、接続選択ユニットにより呼び出される。例えば、自動設定の状態においては、対線方式は一番優先度が高く、その次はPLC方式で、最後はWLAN方式となっている。強制逆転設定の状態においては、コントロールワードにより、制御方式信号を選択できる。
【実施例３】
【００６１】
図５は実施例３におけるホームゲートウェイ装置のブロック図である。本実施例におけるホームゲートウェイ装置は、実施例１のものに、USB信号ロジック信号アダプターユニット９を追加して構成されたものである。前記USB信号ロジック信号アダプターユニット９はメイン基板１とPLC変復調ユニット５に接続され、USB信号をシリアルのロジック制御信号に変換するために用いられる。宅内で、家電機器のほかに、簡単なロジック機能のみを持つ電器（例えば、電燈、電子水栓）も存在している。そのような電器に対しては、複雑な情報交換が不要で、オン・オフのようなロジック制御のコマンドを送信すれば良い。USB信号ロジック信号アダプターユニットはメイン基板から送出されたUSB制御信号をシリアルロジック制御信号に変換する。それが更にPLC変復調ユニット５により電力搬送波信号に変調されてから、電力線を介してロジック電器への制御を実現できるようになる。
【００６２】
上述のように、PLC変復調ユニットは電力搬送波信号とデータ信号の間の変復調操作を実現できる。前記データ信号にイーサーネット（登録商標）信号とロジック信号を含めることができるが、その２者には限らない。
【実施例４】
【００６３】
図６は実施例４におけるホームゲートウェイ装置のブロック図である。本実施例は前記の３つの実施例の総合応用である。ホームネットワーク応用の第１の推薦案として、本実施例におけるホームゲートウェイ装置は、実施例２のものに、USB信号ロジック信号アダプターユニット９を追加して構成されたものである。前記USB信号ロジック信号アダプターユニット９はメイン基板１とPLC変復調ユニット５に接続され、USB信号をシリアルロのジック制御信号に変換するために用いられる。
【００６４】
図７は、実施例４におけるホームゲートウェイ装置と宅内外のネットワークから構成されたホームネットワークシステム応用イメージである。ホームネットワークに接続された家電設備１０（情報家電及びパソコン）は全てPLC方式/イーサーネット（登録商標）方式/無線方式且つ・又は光ファイバー方式によりホームゲートウェイ装置に接続できる。家電機器１０（ある具体的な設備を例とする）は、PLC方式を利用する時に、電力線搬送信号/イーサーネット（登録商標）信号に対して変調/復調処理ができるPLCモデム１１というものが必要になる。PLC信号の抽出/重畳作業は、内部インターフェースユニットのPLC変復調ユニット５により行う。また、外部電力網とホームネットワークの間にあるPLC信号アイソレータ１２は、電力回線に設置されており、高周波数のPLC信号の外部ネットワークへの漏えいと外部高周波数のPLC信号のホームネットワークへの進入を防止し、低周波数電流と高周波数PLC信号の間の遮断を完成する。
【００６５】
最後に注意するべきことは、前記実施例は本発明の技術的な解決手段の説明だけであり、技術上の制限とはならない。本明細書では上述した実施例を参照し本発明を詳しく解説したが、当業者によって、上述した技術的な解決手段を改造し、またはその中の一部の技術要素を置換することもできる。そのような改造と置換は本発明の各実施例の技術の範囲から逸脱するとは見なされない。
【図面の簡単な説明】
【００６６】
【図１】実施例１のホームゲートウェイ装置のブロック図である。
【図２】本発明にかかるホームゲートウェイ装置のイーサーネット（登録商標）フレーム処理ユニットのポートブロック図である。
【図３】本発明にかかるホームゲートウェイ装置の外部通信モジュールのブロック図である。
【図４】実施例２のホームゲートウェイ装置のブロック図である。
【図５】実施例３のホームゲートウェイ装置のブロック図である。
【図６】実施例４のホームゲートウェイ装置のブロック図である。
【図７】実施例４のホームゲートウェイ装置の応用システムイメージ図である。
【図１】
2009535946.tif 000003
【図２】
2009535946.tif 000004
【図３】
2009535946.tif 000005
【図４】
2009535946.tif 000006
【図５】
2009535946.tif 000007
【図６】
2009535946.tif 000008
【図７】
2009535946.tif 000009
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
情報処理信号と制御信号を生成するためのメイン基板と、
前記メイン基板に接続され、コンピュータバス信号とイーサーネット（登録商標）信号の間で信号変換を行うためのコンピュータバス信号イーサーネット（登録商標）アダプターユニットと、
前記コンピュータバス信号イーサーネット（登録商標）アダプターユニットに接続され、予め設定されたフレーム処理ポリシーにより受信されたイーサーネット（登録商標）フレームを転送するためのイーサーネット（登録商標）フレーム処理ユニットと、
前記イーサーネット（登録商標）フレーム処理ユニットに接続され、宅内の電気機器を接続するための内部インターフェースユニットと、
前記メイン基板とイーサーネット（登録商標）フレーム処理ユニットに接続され、内部ネットワークと外部ネットワークの間でアドレス変換とデータ伝送を行うための外部通信モジュールと
を備えたことを特徴とするホームゲートウェイ装置。
【請求項２】
前記イーサーネット（登録商標）フレーム処理ユニットに、
前記外部通信モジュールに接続され、前記外部通信モジュールによりイーサーネット（登録商標）信号を伝送するための第１ポートと、
前記コンピュータバス信号イーサーネット（登録商標）アダプターユニットに接続され、コンピュータバスフォーマットでカプセル化されたイーサーネット（登録商標）信号を伝送するための第２ポートと、
前記内部インターフェースユニットに接続され、内部ネットワークに接続する設備と前記メイン基板の間のイーサーネット（登録商標）信号を伝送するための第３ポートと、
が搭載されることを特徴とする請求項１記載のホームゲートウェイ装置。
【請求項３】
前記イーサーネット（登録商標）フレーム処理ユニットは、
前記第１ポートから受信されたイーサーネット（登録商標）フレームを第３ポートに転送し、
また前記第２ポートから受信されたイーサーネット（登録商標）フレームを第３ポートに転送し、
更にまた、前記第３ポートから受信されたイーサーネット（登録商標）フレームのカプセルフォーマットを判断し、コンピュータバスのフォーマットと判断した場合、当該イーサーネット（登録商標）フレームを前記第２ポートに、IPパケットのフォーマットと判断した場合、当該イーサーネット（登録商標）フレームを前記第１ポートに転送する、
という役割を果たすことを特徴とする請求項２記載のホームゲートウェイ装置。
【請求項４】
前記内部インターフェースユニットは、
電力線搬送波信号とデータ信号に対して、変復調操作を行うための電力線通信変復調ユニットと、
イーサーネット（登録商標）により、宅内電器機器を接続するためのイーサーネット（登録商標）インターフェースユニットと、
無線方式により、宅内電器機器を接続するための無線LANクアクセスポイントユニットと、
の内の何れの一つか、或いは任意の組み合わせで構成されることを特徴とする請求項１から３までの何れか一項記載のホームゲートウェイ装置。
【請求項５】
前記コンピュータバス信号イーサーネット（登録商標）アダプターユニットは、USB信号とイーサーネット（登録商標）信号の間で信号変換を行うためのUSB信号イーサーネット（登録商標）アダプターユニットと、PCI信号とイーサーネット（登録商標）信号の間で信号変換を行うためのPCIバスイーサーネット（登録商標）アダプターユニットのどちらか１つであることを特徴とする請求項１から３までの何れか一項記載のホームゲートウェイ装置。
【請求項６】
前記電力線通信変復調ユニットとメイン基板に接続され、USB信号とシリアルロジック信号の間で、信号変換を行うUSB信号ロジック信号アダプターユニットを含めたことを特徴とする請求項４記載のホームゲートウェイ装置。
【請求項７】
前記イーサーネット（登録商標）フレーム処理ユニットと内部インターフェースユニットの間に、前記イーサーネット（登録商標）フレーム処理ユニットと内部インターフェースユニットにそれぞれ接続され、内部ネットワークと外部ネットワークの相互接続を自動設定・自動切換えを行うための通信接続選択設定ユニットを含めたことを特徴とする請求項４記載のホームゲートウェイ装置。
【請求項８】
前記外部通信モジュールは、
PCIバスを介して前記メイン基板に接続され、PCI信号とイーサーネット（登録商標）信号の間で、信号変換を行うためのPCIバスイーサーネット（登録商標）アダプターユニットと、
前記PCIバスイーサーネット（登録商標）アダプターユニットに接続され、予めに設定されたポート制御転送ポリシーに従って、受信されたイーサーネット（登録商標）フレームを転送するための外部通信イーサーネット（登録商標）フレーム処理ユニットと、
前記外部通信イーサーネット（登録商標）フレーム処理ユニットに接続され、外部ネットワークと通信するための外部通信アダプターユニットと
を含めて構成されることを特徴とする請求項１記載のホームゲートウェイ装置。
【請求項９】
前記外部通信イーサーネット（登録商標）フレーム処理ユニットは、
前記外部通信アダプターユニットに接続され、前記外部通信アダプターユニットによりイーサーネット（登録商標）信号を伝送するための第４ポートと、
前記PCIバスイーサーネット（登録商標）アダプターユニットに接続され、PCIでカプセル化されたイーサーネット（登録商標）信号を伝送するため第５ポートと、
前記イーサーネット（登録商標）フレーム処理ユニットに接続され、外部ネットワークとパソコンの間のイーサーネット（登録商標）信号を伝送するための第６ポートと、
を具備することを特徴とする請求項８に記載のホームゲートウェイ装置。
【請求項１０】
前記外部通信イーサーネット（登録商標）フレーム処理ユニットは、
前記第６ポートから受信されたイーサーネット（登録商標）フレームを前記第４ポートに転送する役割と、
前記第５ポートから受信されたイーサーネット（登録商標）フレームを前記第４ポートに転送する役割と、
前記第４ポートから受信されイーサーネット（登録商標）フレームの送信先を読取り、パソコンのメディアアクセス制御MACアドレスである場合、前記イーサーネット（登録商標）フレームを前記第６ポートに転送し、前記メイン基板のMACアドレスである場合、前記イーサーネット（登録商標）フレームを前記第５ポートに転送する役割と
を果たすことを特徴とする請求項９記載の前記ホームゲートウェイ装置。
【請求項１１】
前記外部通信アダプターユニットは、
データパケットを受信するためのユニットと、
前記受信されたデータパケットの送信先IPアドレスを解析するためのユニットと、
予め設定されたグローバルIPアドレスと内部ネットワークプライベートIPアドレスの対応関係と、前記解析された送信先IPアドレスの情報に基づいて、当該送信先IPアドレスに対応するIPアドレスを取得するユニットと
前記取得されたIPアドレスにより、前記受信されたデータパケットを転送するためのユニットと
を含めたことを特徴とする請求項８から１０までの何れか一項に記載のホームゲートウェイ装置。
【請求項１２】
前記取得されたIPアドレスにより、前記受信されたデータパケットを転送するユニットに、
前記取得されたIPアドレスと、予め格納されたIPアドレスとMACアドレスの対応関係情報に基づいて、前記取得されたIPアドレスをMACアドレスに変換するためのサブモジュールと、
前記変換により取得されたMACアドレスにより、前記受信されたデータパケットを転送するためのサブモジュールと
を含めたことを特徴とする請求項１１記載の前記ホームゲートウェイ装置。
【手続補正２】
【補正対象書類名】図面
【補正対象項目名】図２
【補正方法】変更
【補正の内容】
【図２】
2009535946.tif 000010
【国際調査報告】
2009535946.tif 000011
2009535946.tif 000012
2009535946.tif 000013
2009535946.tif 000014